(57)【要約】【課題】認証のための入力手順を第三者によって推定されることを抑制する入力装置を提供する。【解決手段】入力装置５０は、表示部５１と、入力部５２と、認証部５５とを備える。表示部５１は、表示領域５７を有する。表示部５１は、表示領域５７内の複数の第１領域４０に複数の記号をそれぞれ表示する。入力部５２は、ユーザーが表示領域内の位置を特定することによって表示部の複数の記号のいずれが選択されたかを受け付ける。認証部５５は、入力部５２の受け付けた結果に基づいてユーザーを認証する。入力部５２は、複数の記号のいずれが選択されたかを受け付ける際に、第１領域に割り当てられた複数の第２領域４１ａ〜４１ｄのいずれが選択されたかを受け付ける。認証部５５は、複数の第１領域４０のうちの選択された第１領域、および、複数の第２領域４１ａ〜４１ｄのうちの選択された第２領域に基づいてユーザーを認証する。【選択図】図３
2015007907.tif 000002
【特許請求の範囲】
【請求項１】
表示領域を有し、前記表示領域内の複数の第１領域に複数の記号をそれぞれ表示する表示部と、
ユーザーが前記表示領域内の位置を特定することによって前記表示部の前記複数の記号のいずれが選択されたかを受け付ける入力部と、
前記入力部の受け付けた結果に基づいて前記ユーザーを認証する認証部と
を備え、
前記入力部は、前記複数の記号のいずれが選択されたかを受け付ける際に、前記第１領域に割り当てられた複数の第２領域のいずれが選択されたかを受け付け、
前記認証部は、前記複数の第１領域のうちの選択された第１領域、および、前記複数の第２領域のうちの選択された第２領域に基づいて前記ユーザーを認証する、入力装置。
【請求項２】
前記認証部は、
前記複数の第１領域のうちの選択された第１領域に基づいて前記ユーザーを認証する第１認証と、
前記複数の第１領域のうちの選択された第１領域、および、前記複数の第２領域のうちの選択された第２領域に基づいて前記ユーザーを認証する第２認証とを行う、請求項１に記載の入力装置。
【請求項３】
カードの情報を読み取るカード情報読取部をさらに備え、
前記認証部は、前記複数の第１領域のうちの選択された第１領域、前記複数の第２領域のうちの選択された第２領域、および、前記カード情報読取部に読み取られた情報に基づき前記ユーザーを認証する、請求項１または請求項２に記載の入力装置。
【請求項４】
前記第１領域に割り当てられた前記複数の第２領域は、前記第１領域を等分した領域である、請求項１から請求項３のいずれか１項に記載の入力装置。
【請求項５】
前記複数の記号は数字を含む、請求項１から請求項４のいずれか１項に記載の入力装置。
【請求項６】
前記複数の記号は文字を含む、請求項１から請求項５のいずれか１項に記載の入力装置。
【請求項７】
請求項１から６のいずれかに記載の入力装置と、
原稿の画像を読み取る画像読取部と
を備える、画像読取装置。
【請求項８】
請求項７に記載の画像読取装置と、
前記画像読取装置によって読み取られた画像データに基づいて画像を形成する画像形成部と
を備える、画像形成装置。
【発明の詳細な説明】
【技術分野】
【０００１】
本発明は、入力装置、画像読取装置および画像形成装置に関する。
【背景技術】
【０００２】
従来の画像形成装置は、ユーザーがコピーまたはスキャンを実行する際、ユーザーからの暗証番号の入力によってユーザーの認証を行うことがある。画像形成装置は、人の目に触れやすい場所に配置される場合が多いため、暗証番号入力時の手の動きによって第三者により暗証番号を推測される可能性が高い。第三者に暗証番号を推測されることを低減するために、特許文献１に開示されている暗証番号入力装置は、入力画面に表示されるテンキーの各数字の位置をランダムに変更している。
【先行技術文献】
【特許文献】
【０００３】
【特許文献１】特開２０００−９９８０１号公報
【発明の概要】
【発明が解決しようとする課題】
【０００４】
しかしながら、特許文献１に記載の暗証番号入力装置では、暗証番号入力の際に第三者に数字を覗かれてしまった場合、第三者によって暗証番号を推定され、許可しないユーザーに使用されるという問題があった。
【０００５】
本発明は上記課題に鑑みてなされたものであり、認証のための入力手順を第三者によって推定されることを抑制する入力装置、画像読取装置および画像形成装置を提供することにある。
【課題を解決するための手段】
【０００６】
本発明に係る入力装置は、表示部と、入力部と、認証部とを備える。前記表示部は、表示領域を有する。前記表示部は、前記表示領域内の複数の第１領域に複数の記号をそれぞれ表示する。前記入力部は、ユーザーが前記表示領域内の位置を特定することによって前記表示部の前記複数の記号のいずれが選択されたかを受け付ける。前記認証部は、前記入力部の受け付けた結果に基づいて前記ユーザーを認証する。前記入力部は、前記複数の記号のいずれが選択されたかを受け付ける際に、前記第１領域に割り当てられた複数の第２領域のいずれが選択されたかを受け付ける。前記認証部は、前記複数の第１領域のうちの選択された第１領域、および、前記複数の第２領域のうちの選択された第２領域に基づいて前記ユーザーを認証する。
【０００７】
本発明に係る画像読取装置は、上記に記載の入力装置と、画像読取部とを備える。前記画像読取部は、原稿の画像を読み取る。
【０００８】
本発明に係る画像形成装置は、上記に記載の画像読取装置と、画像形成部とを備える。前記画像形成部は、前記画像読取装置によって読み取られた画像データに基づいて画像を形成する。
【発明の効果】
【０００９】
本発明に係る入力装置は、表示部と入力部と認証部とを備える。認証部は、複数の第１領域のうちの選択された第１領域、および、複数の第２領域のうちの選択された第２領域に基づいてユーザーを認証する。したがって、第三者からみると認証のために第２領域を選択していることが分からない。その結果、認証のための入力手順を第三者によって推定されることを抑制することができるため、許可しないユーザーに使用されるおそれを低減することができる。
【図面の簡単な説明】
【００１０】
【図１】（ａ）は、本発明の実施形態に係る画像読取装置を示す模式的な斜視図である。（ｂ）は、本発明の実施形態に係る画像読取装置を示す模式的な透視側面図である。
【図２】本発明の実施形態に係る画像読取装置を示すブロック図である。
【図３】（ａ）は、本発明の実施形態に係る入力装置が備える表示部を示す模式図である。（ｂ）は、本発明の実施形態に係る入力装置が備える表示部を示す模式図である。
【図４】本発明の認証方法を説明するためフローチャートである。
【図５】本発明の実施形態に係る画像読取装置を示す模式的な斜視図である。
【図６】本発明の認証方法を説明するためフローチャートである。
【図７】（ａ）〜（ｃ）は、記号が表示された第１領域における第２領域の分割の例を示す模式図である。
【図８】入力装置において、表示されている複数の第１領域を示す模式図である。
【図９】本発明の実施形態に係る画像形成装置を示す模式図である。
【発明を実施するための形態】
【００１１】
以下、図面を参照して本発明に係る入力装置、画像読取装置および画像形成装置の実施形態を説明する。ただし、本発明は以下の実施形態に限定されない。
【００１２】
図１を参照して本発明に係る画像読取装置１０の実施形態を説明する。図１（ａ）は、本発明の実施形態に係る画像読取装置１０を示す模式的な斜視図である。図１（ｂ）は、本発明の実施形態に係る画像読取装置１０を示す模式的な透視側面図である。
【００１３】
画像読取装置１０は、入力装置５０と画像読取部２０とを備える。典型的に画像読取装置１０は、原稿台１１と原稿カバー１２とをさらに備える。画像読取装置１０は、原稿台１１の上に載置された原稿Ｍを読み取って入力画像を得る。画像読取装置１０は、例えば、スキャナーである。原稿Ｍは、例えば、紙であるが紙に限定されない。例えば、布や厚みのある立体物でもあり得る。
【００１４】
入力装置５０は、タッチパネル５３と操作ボタン５４とを有する。タッチパネル５３は、表示部（液晶パネル）５１と入力部（タッチセンサー）５２とを有する。表示部５１は表示領域５７を有する。操作ボタン５４はテンキーおよびスタートボタンなどを含む。ユーザーによりタッチパネル５３または操作ボタン５４が押下されることによって、画像読取装置１０は原稿Ｍの画像の読取を開始する。
【００１５】
次に、図１（ｂ）を参照して画像読取装置１０の画像読取動作について説明する。画像読取装置１０は、原稿台１１の下方で移動する可動ユニット（キャリッジ）２２を備える。原稿台１１は、例えば、透明であり、ガラスから形成されている。可動ユニット２２には、光源２１、反射ミラー２４、レンズ２５および撮像部２６が取り付けられている。可動ユニット２２の上面には、スリット２３が設けられている。可動ユニット２２は、光源２１、反射ミラー２４、レンズ２５および撮像部２６とともに原稿Ｍに対して移動方向Ｑへ相対的に移動する。
【００１６】
以下、光源２１から出射した光が撮像部２６に到達する過程を説明する。光源２１は、原稿台１１を下方から照射する。光源２１から出射された光は、原稿Ｍで反射して、スリット２３を通り反射ミラー２４に到達する。反射ミラー２４に到達した光は反射ミラー２４で反射し、レンズ２５を通り撮像部２６に到達する。
【００１７】
撮像部２６は、例えば、ＣＣＤ（Ｃｈａｒａｇｅ  Ｃｏｕｐｌｅｄ  Ｄｅｖｉｃｅ）センサーである。撮像部２６は、撮像部２６に到達した光からアナログ信号のスキャンデータを原稿Ｍの１ライン毎に取得する。その後、ＡＦＥ（アナログフロントエンド）（図示せず）において、スキャンデータはアナログ信号からデジタル信号に変換される。そしてデジタル信号に変換された画像データは制御部３０へと入力される。
【００１８】
制御部３０は、光源２１および撮像部２６を制御する。制御部３０は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）およびＲＡＭ（Ｒａｎｄｏｍ Ａｃｃｅｓｓ Ｍｅｍｏｒｙ）を備える。
【００１９】
図２を参照して本発明に係る画像読取装置１０の実施形態を説明する。図２は、本発明の実施形態に係る画像読取装置１０を示すブロック図である。画像読取装置１０は、入力装置５０と画像読取部２０と制御部３０とを備える。入力装置５０は、表示部５１と入力部５２と認証部５５とを有する。表示部５１、入力部５２、認証部５５、画像読取部２０、ＣＰＵ３１、ＲＯＭ３２およびＲＡＭ３３のそれぞれはバス７０で接続されている。
【００２０】
表示部５１は表示領域５７を有する。表示部５１は、表示領域５７内に認証情報の入力候補となる記号を表示する。例えば、認証情報は、４桁の暗証番号である。認証情報が暗証番号である場合、認証情報の入力候補となる記号は数字である。表示部５１は、例えば、数字０〜数字９が表示されたテンキーを表示する。認証情報は、ＲＯＭ３２に記憶されている。
【００２１】
入力部５２は、ユーザーが入力した情報を受け付ける。入力部５２は、例えば、ユーザーが入力した４桁の番号を受け付ける。本明細書の以下の説明において、入力部５２によって受け付けられた情報を受付情報として記載する。受付情報は、ＲＡＭ３３に記憶される。
【００２２】
認証部５５は、入力部５２が受け付けた結果に基づいてユーザーを認証する。すなわち、認証部５５は、受付情報と認証情報（暗証番号）とが一致しているか否かによってユーザーを認証する。
【００２３】
画像読取装置１０において、受付情報と認証情報（暗証番号）とが一致しているか否かによってユーザーを認証し、その後、認証されたユーザーは上述した原稿Ｍの画像読取などの各機能を利用できる。本明細書の以下の説明において、原稿Ｍの画像読取などの各機能を通常機能と記載する。
【００２４】
また、画像読取装置１０において、管理者のみに限定された機能（例えば、画像読取装置１０の設定の変更）を利用するには、認証部５５は、暗証番号に加えてタッチ位置を認証情報としてユーザーを認証する。認証されたユーザーは、管理者のみに限定された機能を利用することができる。本明細書の以下の説明において管理者のみに限定された機能を限定機能と記載する。
【００２５】
図３を参照して本発明に係る入力装置５０の実施形態を説明する。図３（ａ）は、本発明の実施形態に係る入力装置５０が備える表示部５１を示す模式図である。図３（ｂ）は、本発明の実施形態に係る入力装置５０が備える表示部５１を示す模式図である。
【００２６】
始めに、図３（ａ）を参照して、通常機能使用時におけるユーザーの認証について説明する。表示部５１は、表示領域５７内に複数の第１領域４０を表示する。表示部５１は、複数の記号（数字１〜数字９）を複数の第１領域４０にそれぞれ表示する。第１領域４０は矩形である。
【００２７】
ユーザーが表示領域５７内の位置を特定する。その結果、入力部５２は、表示部５１の複数の記号のいずれかが選択されたかを受け付ける。表示部５１内の位置の特定は、ユーザーの第１領域４０へのタッチによって行われる。例えば、４桁の数字「０１２３」をユーザーが入力する場合、ユーザーは「０」が表示されている第１領域４０、「１」が表示されている第１領域４０、「２」が表示されている第１領域４０、「３」が表示されている領域の順番に第１領域４０をタッチする。入力部５２は、ユーザーによって特定された第１領域に基づいて順次複数の数字のいずれが選択されたかを受け付ける。そして入力部５２は受け付けた結果（受付情報「０１２３」）をＲＡＭ３３に送信し、ＲＡＭ３３は受付情報を記憶する。
【００２８】
認証部５５は、入力部５２の受け付けた結果に基づいてユーザーを認証する。認証部５５はＲＡＭ３３に記憶されている受付情報「０１２３」とＲＯＭ３２に記憶されている認証情報「０１２３」とが一致するか否かを判定しユーザーを認証する。認証部５５によって認証が行われると、ユーザーは画像読取装置１０の通常機能を利用することができる。
【００２９】
管理者が限定機能を利用する際、入力装置５０は、４桁の暗証番号に加えて数字が表示されている第１領域４０のどの位置をユーザーによってタッチされたかによってユーザーを認証する。続いて、図３（ｂ）を参照して、限定機能使用時におけるユーザーの認証について説明する。第１領域４０のそれぞれは４等分されている。第１領域４０は、第２領域４１ａ、第２領域４１ｂ、第２領域４１ｃおよび第２領域４１ｄを有する。なお図３（ｂ）において第１領域を分割している点線は説明を分かり易くするために示しているが実際の画面上には表示されていない。
【００３０】
入力部５２は複数の記号のいずれが選択されたかを受け付ける際に、第１領域に割り当てられた複数の第２領域のいずれが選択されたかを受け付ける。例えば、ユーザーが、「０」が表示されている第１領域の左上の第２領域、「１」が表示されている第１領域の右上の第２領域、「２」が表示されている第１領域の左下の第２領域、「３」が表示されている第１領域の右下の第２領域の順番にタッチした場合、入力部５２は、「０左上１右上２左下３右下」を受付情報として受け付ける。
【００３１】
認証部５５は、入力部５２の受け付けた結果に基づいてユーザーを認証する。認証部５５は受付情報「０左上１右上２左下３右下」と認証情報とが一致するか否かを判定しユーザーを認証する。認証部５５は、暗証番号に加えてタッチ位置を認証情報としてユーザーを認証する。認証部５５によって認証が行われると、管理者は画像読取装置１０の限定機能を利用することができる。
【００３２】
図４を参照して本発明による画像読取装置１０の実施形態における認証方法を説明する。図４は、本発明の認証方法を説明するためフローチャートである。図４に示すようにステップＳ１００からステップＳ１０４を行うことによってユーザーの認証が行われる。
【００３３】
ステップＳ１００：入力部５２は、受付情報を受け付ける。入力部５２は、例えば、ユーザーによって選択された４桁の数字を受付情報として受け付ける。さらに、ユーザーによってタッチされたタッチ位置を受付情報として受け付ける。
【００３４】
ステップＳ１０２：認証部５５は、受付情報の番号が正しいか否かを判定する。認証部５５は、入力部５２の受け付けた番号（数字）が暗証番号と一致するか否かを判定する。例えば、受付情報の番号「０１２３」が正しいか否かを判定する。認証部５５が、受付情報の番号を正しくないと判定した場合（ステップＳ１０２：Ｎｏ）は、エラーとなりユーザーは画像読取装置１０の各機能を利用することができない。認証部５５が、受付情報の番号を正しいと判定した場合（ステップＳ１０２：Ｙｅｓ）、認証方法はステップＳ１０４に進む。
【００３５】
ステップＳ１０４：認証部５５は、受付情報のタッチ位置が正しいか否かを判定する。認証部５５は、複数の第２領域のうちの選択された第２領域に基づいて受付情報のタッチ位置が正しいか否かを判定する。認証部５５が、受付情報のタッチ位置を正しくないと判定した場合（ステップＳ１０４：Ｎｏ）は、エラーとなりユーザーは画像読取装置１０の各機能を利用することができない。認証部５５が、受付情報のタッチ位置を正しいと判定した場合（ステップＳ１０４：Ｙｅｓ）、ユーザーは画像読取装置１０の各機能を利用することができる。
【００３６】
なお、上述した認証方法では、認証部５５は、受付情報の番号が正しいか否かの判定（ステップＳ１０２）と受付情報のタッチ位置が正しいか否かの判定（ステップＳ１０４）とを別々のステップにて行っていたが、ステップＳ１０２とステップＳ１０４とは同時に行われてもよい。
【００３７】
以上、図１〜図４を参照して説明したように、入力装置５０において、入力部５２は、複数の記号のいずれが選択されたかを受け付ける際に、第１領域４０に割り当てられた複数の第２領域のいずれが選択されたかを受け付ける。認証部５５は、複数の第１領域４０のうちの選択された第１領域、および、複数の第２領域（第２領域４１a、第２領域４１ｂ、第２領域４１ｃおよび第２領域４１ｄ）のうちの選択された第２領域に基づいてユーザーを認証する。第三者からみると認証のために第２領域を選択していることが分からないため、認証のための入力手順を第三者によって推定されることを抑制することができるため、許可しないユーザーに使用されるおそれを低減することができる。
【００３８】
また、第１領域４０に割り当てられた複数の第２領域（第２領域４１ａ、第２領域４１ｂ、第２領域４１ｃおよび第２領域４１ｄ）は、第１領域４０を等分した領域である。したがって、ユーザーがタッチし第２領域を指定する際に、第２領域の区切りが分かりやすい。
【００３９】
図５を参照して本発明に係る画像読取装置１０の実施形態を説明する。図５は、本発明の実施形態に係る画像読取装置１０を示す模式的な斜視図である。画像読取装置１０は、入力装置５０と画像読取部２０とを備える。入力装置５０は、タッチパネル５３と操作ボタン５４とカード情報読取部５６とを有する。入力装置５０がカード情報読取部５６をさらに有する点を除いて、図５に示した画像読取装置１０は、図１（ａ）を参照して説明した画像読取装置１０と同様な構成を有するため重複部分については説明を省略する。
【００４０】
カード情報読取部５６は、カード情報読取部５６に翳されたカードの情報を読み取る。カードは、例えば、ＩＣカードである。認証部５５は、複数の第１領域のうちの選択された第１領域、複数の第２領域のうちの選択された第２領域、および、カード情報読取部に読み取られた情報に基づきユーザーを認証する。
【００４１】
図６を参照して本発明による画像読取装置１０の実施形態における認証方法を説明する。図６は、本発明の認証方法を説明するためのフローチャートである。図６に示すようにステップＳ２００からステップＳ２０８を行うことによってユーザーの認証が行われる。
【００４２】
ステップＳ２００：入力部５２は、受付情報を受け付ける。入力部５２は、例えば、ユーザーによって選択された４桁の数字を受付情報として受け付ける。さらに、ユーザーによってタッチされたタッチ位置を受付情報として受け付ける。
【００４３】
ステップＳ２０２：認証部５５は、カード認証が行われたか否かを判定する。認証部５５においてカードの認証が行われたと判定した場合（ステップＳ２０２：Ｙｅｓ）、認証方法はステップＳ２０６に進む。認証部５５においてカード認証が行われなかったと判定した場合（ステップＳ２０２：Ｎｏ）、認証方法はステップＳ２０４に進む。
【００４４】
ステップＳ２０４：認証部５５は、受付情報の番号が正しいか否かを判定する。具体的には認証部５５は、入力部５２の受け付けた番号（数字）が正しいか否かを判定する。例えば、認証部５５は、受付情報の番号「０１２３」が正しいか否かを判定する。認証部５５が、受付情報の番号を正しくないと判定した場合（ステップＳ２０４：Ｎｏ）は、エラーとなりユーザーは画像読取装置１０の各機能を利用することができない。認証部５５が、受付情報の番号を正しいと判定した場合（ステップＳ２０４：Ｙｅｓ）、コピーまたはスキャン利用が許可され、ユーザーはコピーまたはスキャンを利用することができる。
【００４５】
ステップＳ２０６：認証部５５は、受付情報の番号が正しいか否かを判定する。具体的には認証部５５は、入力部５２の受け付けた番号（数字）が正しいか否かを判定する。例えば、受付情報の番号「０１２３」が正しいか否かを判定する。認証部５５が、受付情報の番号を正しくないと判定した場合（ステップＳ２０６：Ｎｏ）は、エラーとなりユーザーは画像読取装置１０の各機能を利用することができない。認証部５５が、受付情報の番号を正しいと判定した場合（ステップＳ２０６：Ｙｅｓ）、認証方法はステップＳ２０８に進む。
【００４６】
ステップＳ２０８：認証部５５は、受付情報のタッチ位置が正しいか否かを判定する。具体的には認証部５５は、複数の第２領域のうちの選択された第２領域に基づいて受付情報のタッチ位置が正しいか否かを判定する。認証部５５が、受付情報のタッチ位置を正しいと判定した場合（ステップＳ２０８：Ｙｅｓ）、管理者モードへと移行し、管理者のみが変更できる画像読取装置１０の設定の変更をすることができる。認証部５５が、受付情報のタッチ位置を正しくないと判定した場合（ステップＳ２０８：Ｎｏ）は、ユーザーはコピーまたはスキャンを利用することができるが、管理者のみが変更できる画像読取装置１０の設定の変更をすることはできない。
【００４７】
以上、図５および図６を参照して説明したように、入力装置５０において、認証部５５は、カード情報読取部５６に読み取られた情報に基づくカード認証とユーザーのタッチに基づくタッチ認証とを行う。タッチ認証には、第１認証と第２認証とがある。認証部５５は、複数の第１領域のうちの選択された第１領域に基づいてユーザーを認証する第１認証を行う。また、認証部５５は、複数の第１領域のうちの選択された第１領域、および、複数の第２領域のうちの選択された第２領域に基づいてユーザーを認証する第２認証を行う。したがって、入力装置５０は、ユーザーに対して認証のレベルに対応した利用許可を与えることができる。
【００４８】
また、入力装置５０において、認証部５５は、複数の第１領域のうちの選択された第１領域、複数の第２領域のうちの選択された第２領域、および、カード情報読取部５６に読み取られた情報に基づきユーザーを認証する。したがって、カードによる認証も追加することによって、セキュリティーをより強化することができる。
【００４９】
なお、図１〜図６を参照して説明した表示部５１における第２領域（第２領域４１ａ、第２領域４１ｂ、第２領域４１ｃおよび第２領域４１ｄ）は、第１領域４０が縦方向に２分割されかつ横方向に２分割されて合計４分割されていたが、これに限定されない。図７（ａ）〜図７（ｃ）は、記号が表示された第１領域４０における第２領域の分割の例を示す模式図である。
【００５０】
図７（ａ）に示すように第１領域４０が縦方向に３分割されかつ横方向に３分割され合計９分割されることによって第２領域（第２領域４１ａ、第２領域４１ｂ、第２領域４１ｃ、第２領域４１ｄ、第２領域４１ｅ、第２領域４１ｆ、第２領域４１ｇ、第２領域４１ｈおよび第２領域４１ｉ）が形成されてもよい。
【００５１】
また、図７（ｂ）に示すように第１領域４０が縦方向に３分割され横方向には分割されず合計３分割されることによって第２領域（第２領域４１ａ、第２領域４１ｂおよび第２領域４１ｃ）が形成されてもよい。
【００５２】
また、図１〜図６を参照して説明した表示部５１における第１領域４０は矩形であったが矩形に限定されない。第１領域４０は、図７（ｃ）に示すように円形であってもよい。第１領域４０は、内側の円状の第２領域４１ａと外側の円環状の第２領域４１ｂとに分割されている。
【００５３】
図１〜図７を参照して説明した入力装置５０において、第１領域４０には数字が表示されていたが、第１領域４０に表示されるのは、数字に限定されない。
【００５４】
図８は、入力装置５０において、表示されている複数の第１領域を示す模式図である。図８に示すように複数の第１領域４０にそれぞれ表示されている記号は、文字（アルファベット）を含んでもよい。認証部５５は、例えば、アルファベットと数字との組み合わせのパスワードによって、ユーザーを認証する。
【００５５】
図９を参照して、本発明に係る画像形成装置１００の実施形態を説明する。図９は、本発明の実施形態に係る画像形成装置１００を示す模式図である。画像形成装置１００は、複写機、プリンター、ファクシミリ又はこれらの機能を兼ね備えた複合機であり得る。以下、複写機を用いて説明するが、本発明はこれに限定されない。画像形成装置１００は、画像読取装置１０と画像形成部６０とを備える。画像形成部６０は、定着装置１１０、給紙カセット１２０、作像部１３０、トナー補給装置１４０、用紙排出部１５０および用紙搬送部１６０を有している。画像形成部６０は、画像読取装置１０によって読み取られた画像データに基づいて画像を形成する。
【００５６】
給紙カセット１２０には、印刷用の用紙Ｐが収容されている。印刷を行う際、給紙カセット１２０内の用紙Ｐは、作像部１３０と定着装置１１０とを経由して用紙排出部１５０から排出されるように、用紙搬送部１６０によって搬送される。
【００５７】
作像部１３０では、トナー像を用紙Ｐに形成する。作像部１３０には、感光体１３１と現像装置１３２と転写装置１３３とが含まれている。
【００５８】
感光体１３１には、例えば、画像読取装置１０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００５９】
転写装置１３３は、感光体１３１に形成されたトナー像を用紙Ｐに転写する。
【００６０】
定着装置１１０では、定着部材１１１と加圧部材１１２によって用紙Ｐを加熱及び加圧することで、作像部１３０において形成された未定着のトナー像を溶融させて用紙Ｐに定着させる。
【００６１】
図１〜図９を参照して、入力装置５０を備える、画像読取装置１０および画像形成装置１００について説明したが、入力装置５０が備えられるのはこれに限定されない。暗証番号またはパスワードを入力する装置に適用できる。例えば、入力装置５０は、金融機関に配置されるＡＴＭ（Ａｕｔｏｍａｔｅｄ  ｔｅｌｌｅｒ  ｍａｃｈｉｎｅ）またはタッチパネルを有するスマートフォンもしくはタブレット端末でありうる。
【００６２】
なお、入力部５２は、ユーザーがタッチパネルをタッチすることによって受付情報を受け付けていたが、これに限定されない。ユーザーがポインティングデバイスを使用して、受付情報を入力してもよい。例えば、パソコンの画面上に表示されたアルファベットまたは数字をマウスを用いて選択することにより、入力部５２は受付情報を受け付けてもよい。
【産業上の利用可能性】
【００６３】
本発明の入力装置、画像読取装置およぶ画像形成装置は、第三者によって認証のための入力手順が推測されることを低減することができる。
【符号の説明】
【００６４】
Ｍ          原稿
Ｐ          用紙
Ｑ          移動方向
１０        画像読取装置
１１        原稿台
１２        原稿カバー
２１        光源
２２        可動ユニット
２３        スリット
２４        反射ミラー
２５        レンズ
２６        撮像部
３０        制御部
３１        ＣＰＵ
３２        ＲＯＭ
３３        ＲＡＭ
４０        第１領域
４１ａ、４１ｂ、４１ｃ、４１ｄ、４１ｅ、４１ｆ、４１ｇ、４１ｈ、４１ｉ  第２領域
５０        入力装置
５１        表示部
５２        入力部
５３        タッチパネル
５４        操作ボタン
５５        認証部
５６        カード情報読取部
５７        表示領域
７０        バス
１００      画像形成装置
１１０      定着装置
１１１      定着部材
１１２      加圧部材
１２０      給紙カセット
１３０      作像部
１３１      感光体
１３２      現像装置
１３３      転写装置
１４０      トナー補給装置
１５０      用紙排出部
１６０      用紙搬送部
【図１】
2015007907.tif 000003
【図２】
2015007907.tif 000004
【図３】
2015007907.tif 000005
【図４】
2015007907.tif 000006
【図５】
2015007907.tif 000007
【図６】
2015007907.tif 000008
【図７】
2015007907.tif 000009
【図８】
2015007907.tif 000010
【図９】
2015007907.tif 000011